(57)【要約】【課題】通常、人は着衣時にはまずズボンを穿き、次に上着を着る。脱衣時にはこの逆の手順となる。したがって、この手順に支障をきたさないような構成のスーツハンガーを考える。具体的には、上着が懸装された状態で、ズボンの懸装や取り外しが可能な構成のスーツハンガーである。【解決手段】  上着を懸ける本体部と本体部下方に配置された支柱とズボンを懸ける懸装杆が設けられたスーツハンガーにおいて、支柱に連結部によって連結されているズボンを懸ける懸装杆が前面に可動することで上着を懸けた状態で容易にズボンを懸けることが可能になる。またズボンを懸けた後は支持棒を下げることにより、スーツを懸ける前の状態に戻るので構成上、極めて合理的である。【選択図】  図1
2010148557.tif 000002
【特許請求の範囲】
【請求項１】
上着を懸ける本体部と本体部下方に配置された支柱とズボンを懸ける懸装杆が設けられたスーツハンガーにおいて、支柱に連結部によって連結されているズボンを懸ける懸装杆が前面に可動することを特徴とするスーツハンガー。
【請求項２】
上記スーツハンガーにおいて、本体部中央を貫通する支持棒を引き上げることにより、支持棒の下部に連結されている連結杆の両端に突設する軸が支柱に切り込まれた溝内を上方に可動し、それに伴い、連結杆と軸支されている連結部によってズボンを懸ける懸装杆が前面に可動することを特徴とするスーツハンガー。
【請求項３】
上記スーツハンガーにおいて、本体部中央を貫通する支持棒を押し下げることにより、支持棒の下部に連結されている連結杆の両端に突設する軸が支柱に切り込まれた溝内を下方に可動し、それに伴い、連結杆と軸支されている連結部によってズボンを懸ける懸装杆が前面に可動することを特徴とするスーツハンガー。
【請求項４】
上記ズボンを懸ける懸装杆に滑り止め加工を施したことを特徴とする請求項１および２、３のいずれか１項に記載のスーツハンガー。
【発明の詳細な説明】
【技術分野】
【０００１】
本発明は、上着を懸ける本体部と本体部下方に配置された支柱とズボンを懸ける懸装杆が設けられたスーツハンガーに関するものである。
【背景技術】
【０００２】
従来から、上着用ハンガー本体の下方にズボンを懸ける懸装杆が付設されたスーツハンガーにはさまざまな構成のものが知られているが、その多くは、主として構成、機能において改良の余地が見られる。下記に紹介する参考文献１の「スーツハンガー」、参考文献２の「可変式スーツ用ハンガー」は、家庭や会社あるいは宿泊施設等にて、部屋の一隅に設置して用いられることを旨としたものである。
【０００３】
参考文献１の「スーツハンガー」は、上着用ハンガー本体、ズボンを懸ける懸装杆を１本のポールに配設したものであるが、以下に記す点において構成、機能の悪さが存した。第１の問題点は、上着用ハンガー本体に上着を懸ける際に、ズボンを懸ける懸装杆が上着用ハンガー前面にあるため懸けづらいという点である。
【０００４】
第２の問題点は、ズボン用ハンガーのズボンを懸装する水平部分が上着用ハンガーの中心軸に対して180mm以上前方に突出されており、これを部屋の一隅に設置させるには場所をとり過ぎている。
【０００５】
また懸装時、ズボンが上着の前面に懸装されるため部屋の構成要素として考えた場合、美観構成はあまりよくない。
【０００６】
つぎに参考文献２の「可変式スーツ用ハンガー」は、本体上部にフックがついており、タンスや壁に吊り下げることを想定したハンガーであるが、このようなハンガーの場合、上着およびズボンを懸装する時はどちらか一方の手でハンガーを支えて、もう一方の手で、上着およびズボンを懸装することになるが、この状態でズボンを懸けると皺や型崩れを誘発し、甚だしくはズボンをズボン用ハンガー本体から懸け落とす危険性も指摘される。
【特許文献１】実用新案登録第３１３７４２２号
【特許文献２】実用新案登録第３１３５０６４号
【発明の開示】
【発明が解決しようとする課題】
【０００７】
通常、人は着衣時にはまずズボンを穿き、次に上着を着る。脱衣時にはこの逆の手順となる。したがって、この手順に支障をきたさないような構成のスーツハンガーを考える。具体的には、上着が懸装された状態で、ズボンの懸装や取り外しが可能な構成のスーツハンガーである。
【課題を解決するための手段】
【０００８】
上着を懸ける本体部と本体部下方に配置された支柱とズボンを懸ける懸装杆が設けられたスーツハンガーにおいて、支柱に連結部によって連結されているズボンを懸ける懸装杆が前面に可動することにより、問題点を解決している。
【発明の効果】
【０００９】
上着を懸ける本体部と本体部下方に配置された支柱とズボンを懸ける懸装杆が設けられたスーツハンガーにおいて、支柱に連結部によって連結されているズボンを懸ける懸装杆が前面に可動することで上着を懸けた状態で容易にズボンを懸けることが可能になる。またズボンを懸けた後は支持棒を下げることにより、スーツを懸ける前の状態に戻るので構成上、極めて合理的である。
【発明を実施するための最良の形態】
【００１０】
以下、本発明の実施の形態を図示例と共に説明する。
【実施例１】
【００１１】
図１は本発明の実施の形態の一例を示す正面図である。本発明に係るスーツハンガーは、上着を懸ける本体部1と本体部1下方に配置された支柱2、2とズボンを懸ける懸装杆3が設けられており、本体部1中央を貫通する支持棒4を引き上げることにより、支持棒4の下部に連結されている連結杆5の両端に突設する軸6、6が支柱2、2に切り込まれた溝7、7内を上方に可動し、それに伴い、連結杆5と軸支されている連結部8、8によってズボンを懸ける懸装杆3が前面に可動する。
【００１２】
図２は本発明の実施の形態の一例を示す可動後の斜視図である。本体部1中央を貫通する支持棒4を引き上げることにより、支持棒4の下部に連結されている連結杆5の両端に突設する軸6、6が支柱2、2に切り込まれた溝7、7内を上方に可動し、それに伴い、連結杆5と軸支されている連結部8、8によってズボンを懸ける懸装杆3が前面に可動する。
【実施例２】
【００１３】
図３は本発明の第２の形態例を示す正面図である。本発明に係るスーツハンガーは、上着を懸ける本体部1と本体部1下方に配置された支柱2、2とズボンを懸ける懸装杆3が設けられており、本体部1中央を貫通する支持棒4を押し下げることにより、支持棒4の下部に連結されている連結杆5の両端に突設する軸6、6が支柱に切り込まれた溝7、7内を下方に可動し、それに伴い、連結杆5と軸支されている連結部8、8によってズボンを懸ける懸装杆3が前面に可動する。
【００１４】
図４は本発明の第２の形態例を示す可動後の斜視図である。本体部1中央を貫通する支持棒4を押し下げることにより、支持棒4の下部に連結されている連結杆5の両端に突設する軸6、6が支柱2、2に切り込まれた溝7、7内を下方に可動し、それに伴い、連結杆5と軸支されている連結部8、8によってズボンを懸ける懸装杆3が前面に可動する。
【図面の簡単な説明】
【００１５】
【図１】本発明に係るスーツハンガーの実施の形態を示す正面図である。
【図２】本発明に係るスーツハンガーの実施の形態を示す可動後の斜視図である。
【図３】本発明に係るスーツハンガーの第２の実施の形態を示す正面図である。
【図４】本発明に係るスーツハンガーの第２の実施の形態を示す斜視図である
【符号の説明】
【００１６】
1  本体部
2  支柱
3  懸装杆
4  支持棒
5  連結杆
6  軸
7  溝
8  連結部
9  滑り止め加工
【図１】
2010148557.tif 000003
【図２】
2010148557.tif 000004
【図３】
2010148557.tif 000005
【図４】
2010148557.tif 000006